(57)【要約】【課題】チャイルドシート本体の底部に、左右幅を大きくすることが可能なボトムブロックを備えたチャイルドシートを提供する。【解決手段】チャイルドシート１を車両の座席に子供が車両後方を向くように設置するには、ボトムブロック２０を底座部１１の前部側に位置させる。そうすると、ボトムブロック２０が底座部１１の下面から突出するので、チャイルドシート１は背当部１４がかなり深く後傾した所謂寝た状態となり、乳児は仰臥に近い姿勢にてチャイルドシート１に保持される。ボトムブロック２０を前方に移動させると、拡張体４０が凹所１３から離脱した状態となった時点でバネ３７の押圧力によって拡張体４０（４０Ｌ，４０Ｒ）が左右外方に突出する。【選択図】図１
2008184134.tif 000002
【特許請求の範囲】
【請求項１】
自動車の座席に設置されるチャイルドシートであって、
チャイルドシート本体と、該チャイルドシート本体の底部に前後位置調節自在に取り付けられた、チャイルドシートの設置角度調整用のボトムブロックとを備えてなるチャイルドシートにおいて、
該ボトムブロックが左右幅拡縮可能とされていることを特徴するチャイルドシート。
【請求項２】
請求項１において、該ボトムブロックは、該チャイルドシート本体の底面の前半側に重なった第１の状態と該底部の後半側に重なった第２の状態とをとりうるようにチャイルドシート本体に前後位置調節可能に取り付けられており、
該ボトムブロックは、該第１の状態にあるときに左右幅が拡大するよう構成されていることを特徴とするチャイルドシート。
【請求項３】
請求項２において、該チャイルドシート本体の底面の少なくとも後部に凹所が設けられており、前記ボトムブロックが第２の状態にあるときには、該ボトムブロックが該凹所に収容され、該凹所からボトムブロックが非突出状となり、
前記ボトムブロックが第１の状態にあるときには、チャイルドシート本体の底面の前半側からボトムブロックが下方に突出することを特徴とするチャイルドシート。
【請求項４】
請求項３において、該ボトムブロックは、ボトムブロック本体と、該ボトムブロック本体から拡幅方向へ突出可能な拡張体と、該拡張体を突出方向に付勢する弾性部材とを有しており、
該拡張体が前記凹所から離脱すると該弾性部材の付勢力によって拡幅方向へ突出することを特徴とするチャイルドシート。
【発明の詳細な説明】
【技術分野】
【０００１】
本発明は、自動車の座席に設置され、子供が座るチャイルドシートに係り、特に該座席に設置されるときの設置角度の変更機能を有したチャイルドシートに関する。
【背景技術】
【０００２】
通常、首のすわっていない乳児をチャイルドシートに載せる場合には、チャイルドシートは後向きに設置される。一方、首のすわった幼児をチャイルドシートに載せる場合には、チャイルドシートは前向きに設置されることが多い。チャイルドシートを後向きに設置して乳児を載せる場合、チャイルドシートの背当部（背もたれ部分）の傾斜が緩いことが望ましい。また、チャイルドシートを前向きに設置して幼児を載せる場合、背当部が比較的鉛直に近い、立った状態となることが望ましい。
【０００３】
特開平１１−２９１７９９には、チャイルドシート本体の下側に回動板を前後回動可能に取り付け、この回動板の位置を前後調節することにより、チャイルドシートを後向きに設置して乳児搭載用とするときにはリクライニングを深くする（水平に近い方向に寝かす）ようにし、一方チャイルドシートを前向きに設置して幼児搭載用とするときにはリクライニングを浅くする（直立に近い方向に立てる）ようにすることにより、乳児及び幼児のいずれにも適切な角度とすることが記載されている。
【特許文献１】特開平１１−２９１７９９
【発明の開示】
【発明が解決しようとする課題】
【０００４】
本発明は、上記従来の問題点を解消し、チャイルドシート本体の底部に、左右幅を大きくすることが可能なボトムブロックを備えることで、より安定した状態で自動車の座席に設置することができるチャイルドシートを提供することを目的とする。
【課題を解決するための手段】
【０００５】
本発明（請求項１）のチャイルドシートは、自動車の座席に設置されるチャイルドシートであって、チャイルドシート本体と、該チャイルドシート本体の底部に前後位置調節自在に取り付けられた、チャイルドシートの設置角度調整用のボトムブロックとを備えてなるチャイルドシートにおいて、該ボトムブロックが左右幅拡縮可能とされていることを特徴するものである。
【０００６】
本発明（請求項２）のチャイルドシートは、請求項１において、該ボトムブロックは、該チャイルドシート本体の底面の前半側に重なった第１の状態と該底部の後半側に重なった第２の状態とをとりうるようにチャイルドシート本体に前後位置調節可能に取り付けられており、該ボトムブロックは、該第１の状態にあるときに左右幅が拡大するよう構成されていることを特徴とするものである。
【０００７】
本発明（請求項３）のチャイルドシートは、請求項２において、該チャイルドシート本体の底面の少なくとも後部に凹所が設けられており、前記ボトムブロックが第２の状態にあるときには、該ボトムブロックが該凹所に収容され、該凹所からボトムブロックが非突出状となり、前記ボトムブロックが第１の状態にあるときには、チャイルドシート本体の底面の前半側からボトムブロックが下方に突出することを特徴とするものである。
【０００８】
本発明（請求項４）のチャイルドシートは、請求項３において、該ボトムブロックは、ボトムブロック本体と、該ボトムブロック本体から拡幅方向へ突出可能な拡張体と、該拡張体を突出方向に付勢する弾性部材とを有しており、該拡張体が前記凹所から離脱すると該弾性部材の付勢力によって拡幅方向へ突出することを特徴とするものである。
【発明の効果】
【０００９】
本発明のチャイルドシートでは、チャイルドシート本体の底部に設けられたボトムブロックが左右幅拡縮可能となっており、このボトムブロックの左右幅を拡大することにより、チャイルドシートの設置状態が安定したものとなる。ボトムブロックの左右幅を小さくした場合には、チャイルドシートがコンパクトなものとなる。
【００１０】
請求項２のように、ボトムブロックを第１の状態としたときにボトムブロックの左右幅が拡大するよう構成することにより、チャイルドシートを後向きに設置したときに安定化させることができる。
【００１１】
請求項３の通り、チャイルドシート本体の底面の後部に設けた凹所にボトムブロックを非突出状に収容するよう構成した場合には、チャイルドシートを座席上に、ボトムブロックの影響を受けることなく安定して設置することができる。また、ボトムブロックを凹所に収容することにより、チャイルドシートをコンパクトなものにすることができる。
【００１２】
請求項４の通り、ボトムブロックをこの凹所から離脱させると拡張体が突出してボトムブロックが左右幅に拡大するよう構成した場合には、ボトムブロックの左右幅を拡大させるための操作、例えば拡張体を引き出す操作を行うことなく、ボトムブロックを凹所から離脱させるだけで自ずとボトムブロックの左右幅が拡大するので、便利である。
【発明を実施するための最良の形態】
【００１３】
以下、図面を参照して本発明の実施の形態について説明する。第１図及び第２図は本発明の実施の形態に係るチャイルドシートの後方かつ下方からの斜視図であり、第１図はボトムブロックをチャイルドシート前方に位置させ、第２図はボトムブロックをチャイルドシート後方に位置させている。第３図はこのチャイルドシートを座席に後向きに設置したときの側面図、第４図はこのチャイルドシートを前向きに座席に設置したときの側面図、第５図及び第６図はボトムブロックの斜視図であり、第５図では左右幅が小さくなっており、第６図では拡張体が突出して左右幅が拡大している。なお、以下の説明において、チャイルドシートの前後方向とはチャイルドシートに座った子供にとっての前後方向であり、左右方向とはチャイルドシートに座った子供にとっての左右方向をいう。
【００１４】
このチャイルドシート１は、自動車の座席のシートクッション２（第３，４図）に設置され、この座席のシートベルト（図示略）によって該座席に固定されるものである。符号３はシートバックを示す。
【００１５】
このチャイルドシート１は、チャイルドシート本体１０と、該チャイルドシート本体１０の底部に取り付けられたボトムブロック２０とを備えている。
【００１６】
このチャイルドシート１は、チャイルドシート本体１０に対し子供が直に座るものであってもよく、チャイルドシート本体１０に対し、シェルと称される椅子状体（図示略）がリクライニング可能に設置され、この椅子状体に子供が座るものであってもよい。
【００１７】
チャイルドシート本体１０は、シートクッション２上に沿うように配置される底座部１１と、該底座部１１の後部から起立する背面部１２とを有した略Ｌ字形の側面視形状のものである。底座部１１の底面から背面１２の下部にかけて、凹所１３が延設されており、この凹所１３にボトムブロック２０が係合している。凹所１３には、その左右の両隅に沿ってガイド溝１４が設けられており、ボトムブロック２０のＬ字形状の爪２１（第５，６図）が該ガイド溝１４にスライド自在に係合することにより、該ボトムブロック２０がチャイルドシート本体１０に対し前後方向スライド自在に取り付けられている。
【００１８】
凹所１３は、底座部１１の前側ほど深さが小さくなっている。凹所１３の最後部では、凹所１３の深さがボトムブロック２０の厚みと同等以上となっている。
【００１９】
ボトムブロック２０は、第５，６図の通り、ボトムブロック本体３０と、該ボトムブロック本体３０に対し左右幅方向にスライド自在に係合した１対の拡張体４０と、該拡張体４０をチャイルドシートの左右幅拡張方向に付勢する弾性体としてのバネ３７等を備えている。
【００２０】
拡張体４０としては、ボトムブロック本体３０の左半側に配置された左半側拡張体４０（４０Ｌ）と、右半側に配置された右半側拡張体４０（４０Ｒ）とが設けられている。
【００２１】
ボトムブロック本体３０は、底座部１１に対面する板状のベース３１と、該ベース３１の左右両サイドから上方に突設され、前後方向に延在する脚３２とを有しているこの脚３２の上端から前記爪２１が突設されている。この爪２１は、左右の外向きに張り出し、前記ガイド溝１４に係合している。また、爪２１は前後方向に所定長さ延在しており、これによりボトムブロック２０はガイド溝１４に沿ってスムーズに前後移動可能となっている。
【００２２】
ベース３１には、それぞれ左右方向に延在する主長孔３３と副長孔３４とが設けられている。主長孔３３と副長孔３４とは、それぞれ左右に１対ずつ設けられている。
【００２３】
ベース３１には、左右方向に延在するバネ収容溝３５が設けられている。バネ収容溝３５の長手方向の中間に仕切壁３６が立設され、この仕切壁３６の左右両側の各バネ収容溝３５，３５内にそれぞれコイルバネよりなる前記バネ３７が押し縮められた蓄力状態で配置されている。
【００２４】
前記脚３２には、このバネ収容溝３７に臨んでトンネル状の孔３８が設けられており、バネ３７はこの孔３８を通って拡張体４０のサイド壁４２に当接し、各拡張体４０を左右外側方向すなわち互いに離反する方向に押圧している。
【００２５】
なお、ベース３１の前縁には立壁３１ａが上方に立設されており、この立壁３１ａに設けられた段差３１ｂに対し拡張体４０の前壁４３の上端縁が当接している。
【００２６】
拡張体４０は、ベース３１の下面側に摺動自在に重なった主板４１と、該主板４１の左又は右の端縁から起立し、脚３２の外側面に対面するサイド壁４２と、主板４１の前縁から起立する前壁４３と、主板４１の後縁から起立する後壁４４とを有している。左半側拡張体４０Ｌにあっては、左端縁からサイド壁４２が立設され、右半側拡張体４０Ｒにあっては、右端縁からサイド壁４２が立設されている。
【００２７】
主板４１から上方に突設された爪４５が前記副長孔３４にスライド自在に係合している。また、主板４１から上方に突設されたボス部４６が主長孔３３にスライド自在に差し込まれている。このボス部４６の上端に対しワッシャ４７がビス４８によって固着され、該ワッシャ４７が主長孔３３の上縁部に対し摺動自在に重なっている。
【００２８】
ボトムブロック４０は、後方側の厚みが最も小さく、前方側に向って厚みが徐々に大きくなる、側面視形状が台形ないし略三角形のものである。
【００２９】
また、拡張体４０のサイド壁４２、前壁４３及び後壁４４は、脚３２よりも高さが小さいものとなっている。即ち、サイド壁４２、前壁４３及び後壁４４の上縁は、脚３２の上縁よりも下位に位置している。
【００３０】
ボトムブロック２０を凹所１３内の前端側に位置させたときには、主板４１、サイド壁４２、前壁４３及び後壁４３の全体が底座部１１の下面よりも下方に位置する。
【００３１】
従って、この状態では、バネ３７の押圧力によって拡張体４０Ｌが左方に、また拡張体４０Ｒが右方にそれぞれ突出して第６図の状態となる。第６図ではボス部４６が各主長孔３３の左右外側方向の末端に位置している。
【００３２】
このように構成されたチャイルドシート１を車両の座席に子供が車両後方を向くように設置するには、ボトムブロック２０を第３図のように底座部１１の前部側に位置させる。
【００３３】
そうすると、ボトムブロック２０が底座部１１の下面から突出するので、チャイルドシート１は背当部１４がかなり深く後傾した所謂寝た状態となり、乳児は仰臥に近い姿勢にてチャイルドシート１に保持される。
【００３４】
また、ボトムブロック２０を前方に移動させると、拡張体４０が凹所１３から離脱した状態となった時点でバネ３７の押圧力によって拡張体４０（４０Ｌ，４０Ｒ）が第６図の通り左右外方に突出し、ボトムブロック２０の左右幅が拡大する。そのため、チャイルドシート１はシートクッション２に対し左右に傾きにくいものとなり、チャイルドシート１の設置が安定する。
【００３５】
なお、ボトムブロック２０を前方に位置させると、バネ３７の押圧力によって拡張体４０が自ずと左右に突出するため、拡張体４０を左右に引き出す操作が不要であり、便利である。
【００３６】
チャイルドシート１を車両の座席に対し子供が車両前方を向くように設置する場合には、拡張体４０Ｌ，４０Ｒを接近させるように押し、第５図の如くサイド壁４２，４２をボトムブロック本体３０の脚３２に当接させる。そして、ボトムブロック２０を後方にスライドさせ、第４図の通り凹所１３の最後部に位置させる。
【００３７】
この状態では、ボトムブロック２０の全体が凹所１３内に収容され、拡張体４０は底座部１１の後部下面及び背面部１２の下部外面から非突出となる。
【００３８】
そのため、底座部１１の下面をシートクッション２に重ねるように当接させることができると共に、背面部１２をシートバック３に重ねるように当接させることができ、チャイルドシート１が安定する。
【００３９】
第４図のように設置されたチャイルドシート１にあっては、背面部１２が比較的直立した状態となっており、首の座った幼児を載せるのに好適である。
【００４０】
上記実施の形態では、凹所１３を底座部１１の前縁側まで延在させているが、底座部１１の前縁側では凹所１３が省略され、ボトムブロック本体３０を含めたボトムブロック２０の全体が底座部１１の下面から下方に突出する構成としてもよい。
【図面の簡単な説明】
【００４１】
【図１】ボトムブロックを前方に位置させた実施の形態に係るチャイルドシートの後方からの斜視図である。
【図２】ボトムブロックを後方に位置させた実施の形態に係るチャイルドシートの後方からの斜視図である。
【図３】図１のチャイルドシートを座席に車両後方向きに設置したときの側面図である。
【図４】図２のチャイルドシートを車両前方向きに座席に設置したときの側面図である。
【図５】ボトムブロックの斜視図である。
【図６】拡張体を突出させた状態のボトムブロックの斜視図である。
【符号の説明】
【００４２】
１  チャイルドシート
１０  チャイルドシート本体
２０  ボトムブロック
３０  ボトムブロック本体
３７  バネ
４０（４０Ｌ，４０Ｒ）  拡張体
【図１】
2008184134.tif 000003
【図２】
2008184134.tif 000004
【図３】
2008184134.tif 000005
【図４】
2008184134.tif 000006
【図５】
2008184134.tif 000007
【図６】
2008184134.tif 000008